Podtech/llm-jp-corpus-v4-ja_patent huggingface dataset:
(57)【要約】      （修正有）【課題】本物の犬の毛並みに極めて近づける事ができる犬の生地を提供する。【解決手段】犬のアンダーコートを糸紡ぎ機で紡ぎ、精製、毛糸玉にして、更に織り機によって別に用意した縦糸、横糸の縦糸に犬の毛糸を手作業ではさみ込みながら織っていき、生地を完成させると言う方法により上記課題を解決するものである。【選択図】図１
0003134373.tif 000002
【実用新案登録請求の範囲】
【請求項１】
犬のアンダーコートを収集し、糸紡ぎで紡いだ糸を沸騰した湯で煮て練止めを施した糸を犬専用の洗剤を用いて洗浄し、乾燥させた後、毛糸玉にし、織り機で別に用意した縦糸と横糸で織っていきおながら、かつ手作業によって上記の犬の毛糸を縦糸にはさみ込んで織っていく事により本物の毛並みに極めて近づけた感触を特徴とした犬の毛を紡績、精製後、織り機で作成した愛玩製品作成用の材料となる犬の毛の生地。
【請求項２】
縦糸、横糸の太さ、はさみ込む犬の毛糸の太さや長さ、はさみ込む犬の毛糸の間隔は、それぞれの愛玩犬に合わせてかえることにより、よりそれぞれの愛玩犬に近づけた、犬の毛を紡績、精製後、織り機で作成した愛玩製品作成用の材料となる犬の毛の生地。
【考案の詳細な説明】
【考案の詳細な説明】
【技術分野】
【０００１】本考案は本物の犬の毛を使用して作成した生地に関するものである。
【背景技術】
【０００２】従来の動物を模した愛玩製品に関しては綿、アクリル等の素材を使用した既製品は存在してるが、本物の毛を使用した製品に関しては存在していない。
【考案の開示】
【考案が解決しようとする課題】
【０００３】愛玩犬の飼い主にとってその犬の本物の毛を使用したぬいぐるや鑑賞品は既製の製品に対して遥かに価値観の高まる所であり、また飼い犬の死後においては分身に他ならない。しかしながらその存在が現実で無いのは技術的に困難であったことによる。
従来は本物の毛を使用することによって極めて犬本来の毛並みの感触に近づけられないと言う難点があった。
【課題を解決するための手段】
【０００４】本考案は、犬本来の毛並みの感触に近づける手段として、犬のアンダーコートを収集、紡いだ糸を精製し、毛糸玉にして、織り機で別に用意した縦糸と横糸を織っていきながら、かつ手作業によって縦糸に犬の毛糸をはさみ込んで織っていき、生地にすることで解決するものである。
【考案の効果】
【０００５】請求項１の手法により、愛玩犬の飼い主の満足感、充実感が達成される。自身の飼い犬の本当の毛を使用したぬいぐるみや鑑賞品は従来の既製品から遥かに愛着が沸き、更には飼い犬の死後も永久的に残り、飼い主に癒しを与えるものとなる。
【考案を実施するための最良の形態】
【０００６】図面を参照して本考案の実施の形態を説明する。縦糸（１）と横糸（２）を織っていきながら、犬の毛糸（３）を縦糸（１）にはさみ込みながら織っていく。
【図面の簡単な説明】
【０００７】
【図１】織り機の上面図
【符号の説明】
【０００８】１  縦糸
２  横糸
３  犬の毛糸
【図１】
0003134373.tif 000003
【手続補正書】
【提出日】平成19年4月26日(2007.4.26)
【手続補正１】
【補正対象書類名】実用新案登録請求の範囲
【補正対象項目名】請求項２
【補正方法】変更
【補正の内容】
【請求項２】
縦糸、横糸の太さ、はさみ込む犬の毛糸の太さや長さ、はさみ込む犬の毛糸の間隔は、それぞれの愛玩犬に合わせてかえることにより、よりそれぞれの愛玩犬に近づけた、犬の毛を紡績、精製後、織り機で作成した愛玩製品作成用の材料となることを特徴とする請求項１記載の犬の毛の生地。
(57)【要約】      （修正有）【課題】星の観察の経験や知識が少なくても、簡単に星座を見つけることが出来る装置を提供する。【解決手段】夜空の星に本装置をかざすことで、表示画面に実画像と星座画像を重ね合わせて表示することで、簡単に星座を見つけることができるようになる。【選択図】図１
0003134376.tif 000002
【実用新案登録請求の範囲】
【請求項１】
本装置には、カメラと表示画面と電子計算機を有する。夜空の星に装置をかざすと、カメラで捕らえた星の画像情報と、装置内の星座情報と照合させた上で、該当する星座の線や絵や文字などの情報を、実画像に重ね合わせて表示するものである。この装置は、専用に製造されたものだけでなく、ゲーム機にカメラを取り付けてプログラムしたもの、デジタルカメラにプログラムしたもの、パーソナルコンピュータにカメラを取り付けてプログラムしたものなど、カメラと表示画面と電子計算機の構成を有するものすべてを含む。
【考案の詳細な説明】
【技術分野】
【０００１】本考案は、星の観察に関するものである。
【背景技術】
【０００２】今まで、夜空の星を見上げたとき、ある程度の知識や経験が無いと、星座を見つけにくかった。星座早見盤などを使用しても、なかなか星を特定できなかった。
【考案の開示】
【考案が解決しようとする課題】
【０００３】誰でも簡単に星座を見つけられる装置により、前述の問題点を解決しようとするものである。
【課題を解決するための手段】
【０００４】本考案は、カメラで取り込んだ星の画像を、電子計算機の星座情報と照合した上で、表示装置にカメラで取り込んだ画像と線や絵や文字などの星座情報を重ね合わせて表示することによって、問題点を解決している。
【考案の効果】
【０００５】上述の様に、星座の知識の無い人でも、簡単に星座を見つけることが出来る。また、学習に利用した場合、星座の学習効率も飛躍的に向上する。
【考案の実施するため最良の形態】
【０００６】カメラと表示画面と電子計算機を有しているなかで、長時間の使用にも耐える軽量なものが好ましい。
【実施例】
【０００７】以下、添付図面に従って一実施例を説明する。使用者は、本装置を手で持ち、調べたい星の方向にカメラを向ける。リアルタイムで、内臓の電子計算機の星座情報を照合し、表示装置に、カメラで撮っている映像に線や絵や文字などの星座情報を重ね合わせて表示する。使用者は、瞬時に、星座の名前や形状などを特定できる。
【図面の簡単な説明】
【図１】本考案の本体、立体図
【図１】
0003134376.tif 000003
【手続補正書】
【提出日】平成19年5月7日(2007.5.7)
【手続補正１】
【補正対象書類名】実用新案登録請求の範囲
【補正対象項目名】請求項１
【補正方法】変更
【補正の内容】
【請求項１】
カメラと表示画面と電子計算機を有し、夜空の星に装置をかざすと、カメラで捕らえた星の画像情報と装置内の星座情報とを照合させた上で、該当する星座の線や絵や文字などの情報を、実画像に重ね合わせて表示する星座表示装置。
(57)【要約】      （修正有）【課題】爪楊枝容器の機能を効果的に高める。【解決手段】爪楊枝容器の内部に形状加工を施した巻込ロールを設け、このロールは爪楊枝が減少してゆく段階で自動的に内側に巻込まれ、その作用で乱雑する爪楊枝を取り出し易く、衛生的に常時整理できるようにする。【選択図】図２
0003134377.tif 000002
【実用新案登録請求の範囲】
【請求項１】
爪楊枝を柱状に束ねて収納した筒状容器であって、この容器の内部には形状記憶加工を施した閉巻込ロール状を設けたところを特徴とする爪楊枝整理容器。
【考案の詳細な説明】
【技術分野】
【０００１】本考案は、衛生と整理に使用される爪楊枝容器に関するものである。
【背景技術】
【０００２】従来の爪楊枝容器は、楊枝が減少していくと倒れこみで乱雑になり取り出しにくく整理ができなく衛生上も好ましくない。
【考案の開示】
【考案が解決しようとする課題】
【０００３】本考案は、容器内の爪楊枝を整理することにより、前述の欠点を解決しようとするものである。
【課題を解決するための手段】
【０００４】本考案は、容器の内部に形状記憶加工を施した閉巻込ロール状を設けて、この巻込ロールの片端は容器の内側の一部に固定しており、爪楊枝全収納の時は、巻込ロールは円形状に開いた状態で爪楊枝を包み込み、爪楊枝が減少してゆく段階で巻込ロールが容器の内側の一部に向かって爪楊枝を自動的に巻込することで、倒れこみによる乱雑する爪楊枝を整理し、取り出しやすくしたもので衛生上も課題を解決したものである。
【考案の効果】
【０００５】上述の様に容器は、爪楊枝が減少しても取り出しやすく常時整理ができ衛生的である。
【考案を実施するための最良の形態】
【０００６】本考案の巻込ロールは、金属、プラスチック、及び紙材の素材で形状記憶加工が施されているのが特徴。
【実施例】
【０００７】本考案の容器は、爪楊枝が減少しても常時整理ができ、爪楊枝を他の容器に移し替える必要が省ける。
【図面の簡単な説明】
【０００８】
【図１】爪楊枝が全部収納した状態の巻込ロール付爪楊枝整理容器である。
【図２】爪楊枝が減少した状態で爪楊枝が整理された巻込ロール付爪楊枝整理容器である。
【符号の説明】
【０００９】１爪楊枝容器蓋
２爪楊枝整理容器
３全収納爪楊枝
４開いた巻込ロール
５閉巻込ロール
６巻込整理された爪楊枝
【図１】
0003134377.tif 000003
【図２】
0003134377.tif 000004
【手続補正書】
【提出日】平成19年5月2日(2007.5.2)
【手続補正１】
【補正対象書類名】実用新案登録請求の範囲
【補正対象項目名】全文
【補正方法】変更
【補正の内容】
【実用新案登録請求の範囲】
【請求項１】
綿棒を柱状に束ねて収納した筒状容器であって、この容器の内部には形状記憶加工を施した閉巻込ロールを設けたところを特徴とする綿棒整理容器。
(57)【要約】【課題】  ごみ袋等を確実に一枚ずつ取り出す事が出来る収納体を提供すること。【解決手段】  二つ又は四つ折りされた複数枚のごみ袋等を収納し、矩形でその一辺にごみ袋当を取り出す取り出し口を有するごみ袋等の収納体において、この取り出し口のある辺に対して直角な辺に指の挿入を許容する指挿入口を設けたもの【選択図】図１
0003134383.tif 000002
【実用新案登録請求の範囲】
【請求項１】
二つ折り、または四つ折りされた複数枚のごみ袋等を収納し、矩形でその一辺にごみ袋等を取り出す取り出し口を有するごみ袋等の収納体において、この取り出し口のある辺に対して直角な辺に指の挿入を許容する指挿入口を設けたごみ袋等の収納体。
【考案の詳細な説明】
【技術分野】
【０００１】  この考案は、複数の大型のゴミ袋またはレジ袋を収納する袋状体あるいは箱状体からなるごみ袋等の収納体に関する。
【背景技術】
【０００２】  従来のこの種のゴミ袋は幅方向に２〜４つ折りにしたもの２乃至１００枚を一単位としてさらに２つ折りしたものを袋に収納し、または箱詰めにしたものが殆どであるが、これを使用時に一枚ずつ取り出すのがとても面倒で、ともすれば収納している袋や箱そのものを壊してしまう。
そこで、特許文献１のようにごみ袋等を予めジグザグにしてダンボールに詰めるものが提案されている。
【特許文献１】実開平５−１６１１５号公報
【考案が解決しようとする課題】
【０００３】  前記特許文献１記載のものも一応の効果が期待できると思われるが、ジグザグにすることで空気の層ができ、その分収納後の梱包の寸法が大きくなり商品陳列に不向きで、更に、現在流通しているものに対して大幅な設計変更が求められる。
又、これを製造するためには新たに高価な製造装置を製作しなければならないという課題を有している。
【０００４】  この考案は、現在流通している収納体の一部に指を挿入できる穴を設けることにより、ごみ袋等を確実に１枚ずつ取り出すことができるごみ袋等の収納体を提供することを目的としてなされたものである。
【課題を解決するための手段】
【０００５】  この考案は前記目的を達成するために、二つ折りされた複数枚のごみ袋等を収納し、矩形でその一辺にごみ袋等を取り出す取り出し口を有するごみ袋等の収納体において、この取り出し口のある辺に対して直角な辺に指の挿入を許容する指挿入口を設けたごみ袋等の収納体にある。
【考案の効果】
【０００６】  この考案は、二つ又は四つ折りされた複数枚のごみ袋等を収納し、矩形でその一辺にごみ袋等を取り出す取り出し口を有するごみ袋等の収納体において、この取り出し口のある辺に対して直角な辺に指の挿入を許容する指挿入口を設けたので、ごみ袋等を確実に１枚ずつ取り出すことができる。又、現在流通している収納体を利用できる効果を有する。
【０００７】  本考案の特徴として、引出しを容易にする以外の部分は現状の製造装置で殆どまかなえ製造側の変更は最小限に留められる。
【考案を実施するための最良の形態】
【０００８】  この考案は、二つ又は四つ折りされた複数枚のごみ袋等を収納し、矩形でその一辺にごみ袋等を取り出す取り出し口を有するごみ袋等の収納体において、この取り出し口のある辺に対して直角な辺に指の挿入を許容する指挿入口を設けたものであるが、指挿入口は取り出し口のある辺よりも下方１０乃至２０ｃｍに作ることが望ましい。
【実施例１】
【０００９】  １は、ごみ袋等の収納体で、底辺をシールして有底とし、一般的に合成樹脂シートで袋状に形成されている。
この収納体１には、折り返された複数枚のごみ袋Ａ１〜ＡＸの折り返し部を上方にして収納されている。折り返しは二つ折りに限らず四つ折りのものでも良い。この収納体１の図示上方の短辺２はあらかじめ開放されているか、あるいは取り出し口３が設けられている。ごみ袋Ａは通常は２〜１００枚収納されており、購入時には多量のごみ袋Ａがきつく詰まった状態で収納体１に収納されている。
従って、特に、きつく詰まった状態で収納体１からゴミ袋を取り出そうとすると複数枚のゴミ袋Ａが同時に取り出し口３から出てくることを我々はよく経験するところである。
そこで本考案は、収納体１の取り出し口３のある短辺２に直角な長辺４に指５の挿入を許容する指挿入口６を設けたものである。
この指挿入口６は、右方向だけでもよいが、左利きの需要者のために左右に設けるのが好ましい。【００１０】  そして、収納されたゴミ袋Ａを取り出す場合は、図２のように１枚目のゴミ袋Ａ１と２枚目のゴミ袋Ａ２間に指５を挿入して２枚目のゴミ袋より内側のごみ袋を総て押さえた状態で、他方の手の指で矢印７のように１枚目のゴミ袋Ａ１を外方向につまみ出すようにするものである。
発明者が実際に使用してみたところ、この指挿入口６は取り出し口３のある辺よりも下方１０乃至２０ｃｍに作ることが望ましいことがわかった。尚、前記一実施例では収納体１を袋体としたが、矩形の箱体としても良く、これも本考案の権利範囲に含まれることは明白である。
【図面の簡単な説明】
【００１１】
【図１】    本考案の一実施例の収納体を示す平面図。
【図２】    同じくゴミ袋の取り出し状態を示す図。
【符号の説明】
【００１２】      １……………  収納体、
２……………  短辺、
３……………  取り出し口、
４……………  長辺、
５……………  指、
６……………  指挿入口、
７……………  矢印、
Ａ１〜ＡＸ…  ゴミ袋。
【図１】
0003134383.tif 000003
【手続補正書】
【提出日】平成19年5月31日(2007.5.31)
【手続補正１】
【補正対象書類名】図面
【補正対象項目名】全図
【補正方法】変更
【補正の内容】
【図１】
0003134383.tif 000004
【図２】
0003134383.tif 000005
(57)【要約】      （修正有）【課題】自動式ではない強度ある麻雀台を安価に製作するために脚部を十字に組立収納できるようにする。【解決手段】麻雀卓の２枚の脚部は夫々中央に溝を設け溝同士が十字に組み合わされ差し込むことで強度の在る組立脚となり、麻雀台の天板裏面の四隅に設けた凹部に脚をはめ込むことで麻雀台が完成し、組立収納時とも労力や時間の無駄を削減できることを特徴とする組立麻雀卓。【選択図】図１
0003134381.tif 000002
【実用新案登録請求の範囲】
【請求項１】
２枚の脚部は夫々中央に溝を設け溝同士が十字に組み合わされ差し込むことで強度の在る組立脚となり、麻雀台の天板裏面の四隅に設けた凹部に脚をはめ込むことで麻雀台が完成し、組立収納時とも労力や時間の無駄を削減できることを特徴とする組立麻雀卓。
【考案の詳細な説明】
【技術分野】
【０００１】本考案は、脚部を簡単に組立収納できる強度ある麻雀台に関するものである。
【背景技術】
【０００２】高齢化に伴い高齢者の介護予防として手さきと頭を使うマージャンが人気を集めてきており手の麻雀台を利用した麻雀教室が増え需要が高まった。
【考案の開示】
【考案が解決しようとする課題】既存の麻雀台は自動式が多く高価である。教室など幅広い年齢で利用でき組立収納とも簡単でかつ使用時のぐらつきが無い強度のある麻雀台を低価製作することにより解決しようとするものである。
【課題を解決するための手段】麻雀卓の２枚の脚部は夫々中央に溝を設け溝同士が十字に組み合わされ差し込むことで強度の在る組立脚となり、麻雀台の天板裏面の四隅に設けた凹部に脚をはめ込むことで麻雀台が完成し、組立収納時とも労力や時間の無駄を削減できることを特徴とする組立麻雀卓
【考案の効果】２枚の脚部は夫々中央に溝を設け溝同士が十字に組み合わされ差し込むことで強度の在る組立脚となり、麻雀台の天板裏面の四隅に設けた凹部に脚をはめ込むことで麻雀台が完成し、組立収納時とも労力や時間の無駄を削減できることを特徴とする組立麻雀卓であり自体の構成が簡素で、量産に適し、比較的低廉に提供できるようになり、加えて収納状態をよりコンパクトに構成できる。
【考案を実施するための最良の形態】以下、本考案を図示例に基づいて説明すると、次のとおりである。
本考案の組立式麻雀台は略正方形状の脚部１と脚部２の溝を組み合わせることによって十字型の脚を構成し、略正方形状の天板３の裏側にある接続溝３ａに夫々差し込むことにより構成されている。
【図１】
0003134381.tif 000003
【手続補正書】
【提出日】平成19年6月1日(2007.6.1)
【手続補正１】
【補正対象書類名】明細書
【補正対象項目名】全文
【補正方法】変更
【補正の内容】
【考案の詳細な説明】
【技術分野】
【０００１】本考案は、脚部を簡単に組立収納できる強度ある麻雀台に関するものである。
【背景技術】
【０００２】高齢化に伴い高齢者の介護予防として手さきと頭を使うマージャンが人気を集めてきており手の麻雀台を利用した麻雀教室が増え需要が高まった。
【考案の開示】
【考案が解決しようとする課題】
【０００３】既存の麻雀台は自動式が多く高価である。教室など幅広い年齢で利用でき組立収納とも簡単でかつ使用時のぐらつきが無い強度のある麻雀台を低価製作することにより解決しようとするものである。
【課題を解決するための手段】
【０００４】麻雀卓の２枚の脚部は夫々中央に溝を設け溝同士が十字に組み合わされ差し込むことで強度の在る組立脚となり、麻雀台の天板裏面の四隅に設けた凹部に脚をはめ込むことで麻雀台が完成し、組立収納時とも労力や時間の無駄を削減できることを特徴とする組立麻雀卓
【考案の効果】
【０００５】２枚の脚部は夫々中央に溝を設け溝同士が十字に組み合わされ差し込むことで強度の在る組立脚となり、麻雀台の天板裏面の四隅に設けた凹部に脚をはめ込むことで麻雀台が完成し、組立収納時とも労力や時間の無駄を削減できることを特徴とする組立麻雀卓であり自体の構成が簡素で、量産に適し、比較的低廉に提供できるようになり、加えて収納状態をよりコンパクトに構成できる。
【考案を実施するための最良の形態】
【０００６】以下、本考案を図示例に基づいて説明すると、次のとおりである。
本考案の組立式麻雀台は略正方形状の脚部の溝を組み合わせることによって十字型の脚を構成し、略正方形状の天板の裏側にある接続溝２ａに夫々差し込むことにより構成されている。
【図面の簡単な説明】
【０００７】
【図１】２枚の脚部を中央に設けた溝同士で十字に組み合わす説明図
【図２】天板の裏側にある接続溝を示す説明図
【図３】本考案の実施形態を示す図
【符号の説明】
【０００８】２ａ…脚部との接続溝
【手続補正２】
【補正対象書類名】図面
【補正対象項目名】全図
【補正方法】変更
【補正の内容】
【図１】
0003134381.tif 000004
【図２】
0003134381.tif 000005
【図３】
0003134381.tif 000006
(57)【要約】      （修正有）【課題】ペンを立てた状態で、鉛筆立てと同じように使用出来るペンケースの新たな構造であり、ペンケース本体上部１／２をファスナーで開閉し、取り出し易く収納し易い、場所を取らない持ち運び可能な鉛筆立てペンケースである。【解決手段】ペンケース本体２ｂの上部に装着されたファスナー１ｂを開閉し、鉛筆立て３ｂに収納されているペンを自由自在に取り出す事が出来る。従って、鉛筆立てのコンパクトで取り出し易いという機能と、ペンケースの持ち運び可能という機能を一体化する事ができ、直ぐに出し入れする事が可能な鉛筆立てペンケースとなり、便利なペンケースとなる。【選択図】図２
0003134357.tif 000002
【実用新案登録請求の範囲】
【請求項１】
ペンケースの中に容器を内蔵し、鉛筆立ての様に、ペンを立てた状態での収納ができ、かつ持ち運び可能となる所を特徴とする鉛筆立てペンケース
【請求項２】
上述の様な鉛筆立てペンケースに、ペンケース本体上部約１／２にファスナーを装着し開閉する仕組みになっている、ペンを立てた状態での収納ができ、かつ持ち運び可能となる所を特徴とする鉛筆立てペンケース
【考案の詳細な説明】
【技術分野】
【０００１】  本考案は、鉛筆立ての様な鉛筆を立てて収納し持ち運び可能な機能を設けたペンケースに関するものである。
【背景技術】
【０００２】  従来のペンケースはペンを横にした状態で開閉し、使用するものが多く、自身の所有の机などで使われている鉛筆立てに比べ、直ぐに出し入れする事が困難であった。
【考案の開示】
【考案が解決しようとす課題】
【０００３】  従来のペンケースは、袋状でペンを横にした状態で使用するものが多く、ペンを使用する際、袋状ののペンケースは中身が見えにくいため、鉛筆立てのような箱状にさしてあるものを取り出すのに比べ取り出し難い。また学校の机等のスペースは限られており、従来のペンケースの様な袋状でペンを横にした状態で机の上に置かれるものであると、必要以上に場所をとってしまう。従って、鉛筆立てのコンパクトで取り出し易いという機能と、ペンケースの持ち運び可能という機能を一体化する事により、取り出し易く、収納し易く、そして場所を取らない持ち運び可能な鉛筆立てペンケースとなり、前述の欠点を解決しようとするものである。
【課題を解決するための手段】
【０００４】  本考案は、従来のポーチのような、袋状のものにジッパーを装着した物をベースとし、ペンケース本体に、本体の１／２の大きさの、容易に倒れない重さの容器を本体下部に内蔵し、ペンケース本体の上部１／２の部分にジッパーを半円状に一本、又は三本装着し、開閉するという仕組みになっており、鉛筆立ての様に、ペンを立てた状態での収納が可能になる所を特徴とする鉛筆立てペンケースとなり、問題点を解決している。
【考案の効果】
【０００５】  上述の様に、本考案の鉛筆立てペンケースは鉛筆立てのコンパクトで取り出し易いという機能と、ペンケースの持ち運び可能という機能を一体化する事により、取り出し易く、収納し易く、そして場所を取らない持ち運び可能な鉛筆立てペンケースとなる。
【考案を実施するための最良の形態】
【０００６】  ペンケース本体に、本体の１／２の大きさの、円柱状の容易に倒れない重さの容器を本体下部に内蔵し、ペンケース本体の上部１／２の部分にジッパーを一本、半円状に装着し、開閉する。又同じくペンケース本体上部にジッパーを三本装着し、バナナをむくように開閉するという仕組みになっている。
【実施例】
【０００７】  以下、添付図面に従って一実施例を説明する。１ａはペンケース本体上部に等間隔に取り付けられた三本のファスナー、２ａは布製のペンケース本体、３ａは円柱状の鉛筆立てである。このファスナー１ａを開閉し、鉛筆立て３ａに収納されているペンを取り出す事が可能となる。図２は本考案の実施例１の、図１の三本のファスナー１ａを開いた状態の立体図である。【０００８】  又、図３の様にファスナー１ｃを一本のみ使用し、弧を描くように開閉する事で鉛筆立て３ｃの中からペンを取り出す事が可能となる。図４は本考案の実施例２、図３の一本のファスナー１ｃを開いた状態の立体図である。【０００９】  本考案の実施例は上述の如き構成からなるものであるから、ペンケース本体を図２の様に開いた状態で鉛筆立てとして使用する事は勿論であるが、点線の様にファスナー１ｂを閉め、中身が出ない様にする事で、持ち運び可能となり、鉛筆立てペンケースとなる。
【図面の簡単な説明】
【００１０】
【図１】本考案の鉛筆立てペンケースの実施例１を示す正面図である。
【図２】本ペンケースの実施例１のファスナー１ａを開いた状態の立体図である。
【図３】本考案の鉛筆立てペンケースの実施例２を示す正面図である。
【図４】本ペンケースの実施例２のファスナー１ｃを開いた状態の立体図である。
【符号の説明】
【００１１】１  ファスナー
２  ペンケース本体
３  鉛筆立ての機能となる容器
【図１】
0003134357.tif 000003
【図２】
0003134357.tif 000004
【図３】
0003134357.tif 000005
【図４】
0003134357.tif 000006
【手続補正書】
【提出日】平成18年12月8日(2006.12.8)
【手続補正１】
【補正対象書類名】実用新案登録請求の範囲
【補正対象項目名】請求項２
【補正方法】変更
【補正の内容】
【請求項２】
ペンケースの中に容器を内蔵し、鉛筆立ての様に、ペンを立てた状態での収納ができ、かつ持ち運び可能となる所を特徴とする請求項１に記載の鉛筆立てペンケースに、ペンケース本体上部約１／２にファスナーを装着し開閉する仕組みになっている、ペンを立てた状態での収納ができ、かつ持ち運び可能となる所を特徴とする鉛筆立てペンケース
【手続補正２】
【補正対象書類名】明細書
【補正対象項目名】０００４
【補正方法】変更
【補正の内容】
【０００４】  本考案は、従来のポーチのような、袋状のものにジッパー（登録商標）を装着した物をベースとし、ペンケース本体に、本体の１／２の大きさの、容易に倒れない重さの容器を本体下部に内蔵し、ペンケース本体の上部１／２の部分にジッパー（登録商標）を半円状に一本、又は三本装着し、開閉するという仕組みになっており、鉛筆立ての様に、ペンを立てた状態での収納が可能になる所を特徴とする鉛筆立てペンケースとなり、問題点を解決している。
【手続補正書】
【提出日】平成19年4月26日(2007.4.26)
【手続補正１】
【補正対象書類名】実用新案登録請求の範囲
【補正対象項目名】全文
【補正方法】変更
【補正の内容】
【実用新案登録請求の範囲】
【請求項１】
ペンケース本体と、このペンケース本体の上部に取り付けた開閉する部位と、当該ペンケース本体の下部に内蔵した鉛筆立てとして容易に倒れない重さの容器を備えたことを特徴とする鉛筆立てペンケース。
【請求項２】
前記開閉する部位が、前記ペンケース本体の上部から同本体の約１／２まで装備されたファスナーであることを特徴とする請求項１記載の鉛筆立てペンケース。
(57)【要約】      （修正有）【課題】使用者の好みや利き手の違いにより左右の使い分けが可能である構造と、モール・ウェビング構造を持つ、またはモール・ウェビング構造に対応可能な構造を有する当製品とは別体の製品を任意に取り付ける構造を持つ左右兼用多目的銃床覆いを提供する。【解決手段】玩具の銃または、実銃において、いわゆるライフルと言う形状を持つ大抵のものに付随する銃床を布製の緩衝材入りの製品で覆うことで使用者を保護し補助する製品において、固定用の紐を脱着可能にすることで、使用者の好みや利き手の違いにより左右の使い分けを可能にする構造と、固定用の紐を利用し、モール・ウェビング構造を有する、またはモール・ウェビング構造に対応可能な構造を有する当製品とは別体の製品を任意に取り付けることが可能である構造を同一の製品内に、同時に存在させたもの。【選択図】図１
0003134366.tif 000002
【実用新案登録請求の範囲】
【請求項１】
（１）玩具の銃または、実銃において、いわゆるライフルと言う形状を持つ大抵のものに付随する銃床を布製の緩衝材入りの製品で覆うことで使用者を保護し補助する左右兼用多目的銃床覆い。
【請求項２】
（２）請求項目２で示した製品において固定用の紐を脱着可能な構造にすることで、使用者の好みや利き手の違いにより左右の使い分けを可能にする左右兼用多目的銃床覆い。
【請求項３】
（３）請求項１、請求項２で示した製品において固定用の紐を利用して、モール・ウェビングという方式構造を有する、または同方式構造に対応可能な構造を有する当製品とは別体の製品を任意に取り付けることが同一の製品内に、同時に可能な構造を有する左右兼用多目的銃床覆い。
【考案の詳細な説明】
【技術分野】
【０００１】本考案は玩具の銃または、実銃において、いわゆるライフルと言う形状を持つ大抵のものに付随する銃床を布製の緩衝材入りの製品で覆うことで使用者を保護し補助すると共に、使用者の好みや利き手の違いにより左右の使い分けが可能である事と、またモール・ウェビングという方式構造を有する、または同方式構造に対応可能な構造を有する当製品とは別体の製品を任意に取り付けが可能である事を同一の製品内に、同時に可能にするための道具に関する。
【技術背景】
【０００２】軍事関連技術より派生した方式構造で、主に布製品において、その方式構造を持った製品同士を設置固定する為のものである。呼称はモール・ウェビング、パルスウェビング、ラック等様々なものが存在する。ここでは、代表として今現在、最も広く使われているモール・ウェビングと言う呼称を使用する。方式構造は、ある一定の広さの布製品の表面において幅約２．５ｃｍの布テープを全長は任意として、約４ｃｍの間隔で縫製等の方法で布製品の表面に固定し区切り、それに平行になるように約２．５ｃｍの間隔を取り同一の布製品の表面に同様の加工を施した布テープを複数配置した構造を持つもの。
【考案の開示】
【考案が解決しようとする課題】
【０００３】玩具の銃または、実銃において、いわゆるライフルと言う形状を持つ大抵のものに付随する銃床を布製の緩衝材入りの製品で覆うことで使用者を保護し補助する製品において、使用者の好みや利き手の違いにより左右の使い分けが可能である構造と、モール・ウェビング構造を持つ、またはモール・ウェビング構造に対応可能な構造を有する当製品とは別体の製品を任意に取り付ける構造を同一の製品内に、同時に持たないため、使用者の好みや利き手の違いにより左右を使い分ける事と、モール・ウェビング構造を有する、またはモール・ウェビング構造に対応可能な構造を有する当製品とは別体の製品を取り付ける事が同一の製品内に、同時に行なう事は不可能であった。
【課題を解決するための手段】
【０００４】玩具の銃または、実銃において、いわゆるライフルと言う形状を持つ大抵のものに付随する銃床を布製の緩衝材入りの製品で覆うことで使用者を保護し補助する製品において、固定用の紐を脱着可能にすることで、使用者の好みや利き手の違いにより左右の使い分けを可能にする構造と、固定用の紐を利用し、モール・ウェビング構造を有する、またはモール・ウェビング構造に対応可能な構造を有する当製品とは別体の製品を任意に取り付けることが可能である構造を同一の製品内に、同時に存在させたもの。この構造により上記の課題を解決する手段とする。
【考案の効果】
【０００５】玩具の銃または、実銃において、いわゆるライフルと言う形状を持つ大抵のものに付随する銃床を布製の緩衝材入りの製品で覆うことで使用者を保護し補助する構造を有した従来の製品において、使用者の好みや利き手の違いにより左右の使い分けを可能にする構造と、モール・ウェビング構造を有する、またはモール・ウェビング構造に対応可能な構造を有する当製品とは別体の製品を任意に取り付けることが可能である構造を同一の製品内に、同時に持っていない。どちらか一方の構造しか持たなかった。そのため、使用者の好みや利き手の違いにより左右の使い分けを可能にする事と、モール・ウェビング構造を有する、またはモール・ウェビング構造に対応可能な構造を有する当製品とは別体の製品を任意に取り付ける事は同一の製品内に、同時に行なう事は不可能であった。
【考案を実施するための最良の形態】
【０００６】玩具の銃または、実銃において、いわゆるライフルと言う形状を持つ大抵のものに付随する銃床を布製の緩衝材入りの製品で覆うことで使用者を保護し補助する製品において、固定用の紐を脱着可能にすることで、使用者の好みや利き手の違いにより左右の使い分けを可能にする構造と、固定用の紐を利用し、モール・ウェビング構造を有する、またはモール・ウェビング構造に対応可能な構造を有する当製品とは別体の製品を任意に取り付けることが可能である構造を同一の製品内に、同時に存在させるもの。
【図面の簡単な説明】
【０００７】
【図１】  展開図
【図２】  右利き設定時右正面図
【図３】  右利き設定時左正面図
【図１】
0003134366.tif 000003
【図２】
0003134366.tif 000004
【図３】
0003134366.tif 000005
【手続補正書】
【提出日】平成19年5月4日(2007.5.4)
【手続補正１】
【補正対象書類名】実用新案登録請求の範囲
【補正対象項目名】全文
【補正方法】変更
【補正の内容】
【実用新案登録請求の範囲】
【請求項１】
玩具の銃や実銃において、いわゆるライフルと言う形状を持つ大抵のものに存在する銃床、または肩当を布製の緩衝材入りの布製品で覆い、固定することで使用者を保護し補助する左右兼用多目的銃床覆い。
【請求項２】
請求項１記載の左右兼用多目的銃床覆いにおいて、固定するための帯を３本用い脱着と取り付けるライフルに合わせた調整が可能な構造である左右兼用多目的銃床覆い。
【請求項３】
請求項１または２記載の左右兼用多目的銃床覆いにおいて、固定用帯の固定に必要な部分以外の余剰分を利用して、ウェビング構造を有する左右兼用多目的銃床覆いとは別製品を任意に取り付けることが請求項１または２記載の左右兼用多目的銃床覆いに、同時に可能な構造を有する左右兼用多目的銃床覆い。
(57)【要約】      （修正有）【課題】従来のはしご作業事の転倒防止は、紐等で適当な場所に縛るか補助者が支えていたが、紐を縛る為の適当な場所が無かったり、補助者が居ない場合は出来なかった。【解決手段】２個の締め付け金具１と１本の銅製チェーン２と１個の銅製カラビナ３からなる転倒防止取付金具の使用により屋根の軒先に、はしごを固定することが出来る。【選択図】図１
0003134370.tif 000002
【実用新案登録請求の範囲】
【請求項１】
はしご転倒防止取付金具は、締め付け金具とチェーンを組み合わせたことを特徴とする転倒防止取付金具。
【請求項２】
前記転倒防止取付金具は、カラナビとチェーンを組み合わせて長さ調節可能とした事を特徴とする。請求項１記載のはしご転倒防止取付金具
【考案の詳細な説明】
【技術分野】
【０００１】  この発明は、はしご等の転倒防止に用いる取付金具の形状に関する。
【背景技術】
【０００２】  従来のはしご作業時における転倒防止は、紐などで適当な箇所に縛るか、補助者がささえていた。
【考案の開示】
【考案が解決しようとする課題】
【０００３】しかしながら、以上の技術によれば、はしごを固定する場所がなかったり、補助者がいない時はできなかった。
そこで、この考案は、紐などで固定する箇所がない場合でも、補助者がいないときでも安全を提供すること、を課題とする。
【課題を解決するための手段】
【０００４】  以上の課題を解決するために、第一考案は、取付締め具ではしごを直接屋根先に固定することを特徴とする。
また、第二考案は、チェーンの長さを自由に変えることを特徴とすると取付金具である。
【考案の効果】
【０００５】  第一考案、または第二考案によれば、はしごを直接屋根に固定することによって転倒を防止することができる。
【考案を実施するための最良の形態】
【０００６】  この考案の一実施形態を、図１に示す。
転倒防止取付金具は、２個の鋼製締め具と、１本の鋼製チェーンと、１個の鋼成カラビナから作られている。【０００７】「実施形態の効果」
この実施形態によれば、２個の締め具によってはしごを屋根に固定することができるため転倒を防止できる。【０００８】「他の実施形態」
図１の実施形態では、２組の金具を使用したが、他の実施形態では、チェーンを長くして１組で使用しても良い。
【図面の簡単な説明】
【０００９】
【図１】この考案の全体形態図である。
【図２】この考案の形態詳細図（平面図）である。
【図３】この考案の形態詳細図（側面図）である。
【図４】この考案の使用例平面図である。
【図５】この考案の使用例側面図である。
【符号の説明】
【００１０】１  締め付け金具  ２  チェーン  ３  カラビナ  ４  ネジ  ５  スプリング
【図１】
0003134370.tif 000003
【図２】
0003134370.tif 000004
【図３】
0003134370.tif 000005
【図４】
0003134370.tif 000006
【図５】
0003134370.tif 000007
【手続補正書】
【提出日】平成19年5月7日(2007.5.7)
【手続補正１】
【補正対象書類名】実用新案登録請求の範囲
【補正対象項目名】全文
【補正方法】変更
【補正の内容】
【実用新案登録請求の範囲】
【請求項１】
はしご転倒防止取付金具は、締め付け金具とチェーンを組み合わせたことを特徴とする、転倒防止取付金具。
【請求項２】
前記転倒防止取付金具は、カラビナとチェーンを組み合わせて長さ調節可能とした事を特徴とする、請求項１記載のはしご転倒防止取付金具。
(57)【要約】【課題】  指定位置に、印字のかすれ、中心軸のぶれなく正確に押印できる携帯用印鑑を実現すると同時に、新しい装身具としての利用可能性ももたせる。【解決手段】  指サックの先端下部に刻印部を備え、サック上面に刻印部の輪郭や中心軸を示す像を描く。材質は、実用には柔軟素材を使い、装飾用には、貴金属などの高級な材料を用いたり模様や象嵌などの装飾を行なう。【選択図】図１
0003134367.tif 000002
【実用新案登録請求の範囲】
【請求項１】
形状が指の外形をかたどったサック状の印鑑
【請求項２】
指サック表面に、押印位置補正用のしるしをつけた印鑑
【請求項３】
指サック内面に刻印部位置を感触できるしるしをつけた印鑑
【請求項４】
指サックを装飾することで装身具に利用できる印鑑
【考案の詳細な説明】
【発明の詳細な説明】
【技術分野】
【０００１】押印を正確に行うための指示線をもつ印鑑
【背景技術】
【０００２】印を正確に押すため、いくつかの補助具がすでに考案されている。方法としては、しるしやへこみなどをつける方法、方向や位置を示す補助具やケースを印鑑本体に付加する方法などがある。押印に指先を使うという意味で本考案に近いものとしては、折畳式印鑑押し具（公開番号；特開２００３−７２２１２（Ｐ２００３−７２２１２Ａ）がある。これは、薄い刻印面をシールに貼りつけ指に巻き付けて押印するものである。あるいは、携帯用印鑑（特許公開２００６−２４８２０７）がある。印鑑であることと装身具であることの両立を可能にした先行の考案はない。【０００３】
【特許文献１】折畳式印鑑押し具（公開番号；特開２００３−７２２１２（Ｐ２００３−７２２１２Ａ）
【０００４】
【特許文献２】携帯用印鑑（特許公開２００６−２４８２０７）
【考案の開示】
【考案が解決しようとする課題】
【０００５】従来の棒状または指輪状印鑑では、印の位置と中心軸を正確に保つのが難しく、また、かすれが発生する可能性がある。補助具をつけた場合、概観や操作が複雑になった。前述の折畳式印鑑押し具は、正確な押印と装着の単純さに難があった。携帯用印鑑は携帯しやすさを目的にしたものであり、指示線等はなく、形状も完全な指サック状とはいえない。指輪型印鑑は、位置決めや押印の力のこめかたのコントロールが正確ではないし、指先につけることを意図して設計されていない。
印鑑は、押印の際に他者の視線が注がれるものであり、かつ、会社等においては頻繁に使われるため、さりげなくステータスを表現する装身具となりうるものである。しかし、指で包み込んで押印するタイプの印鑑では装身具としての美しさを十分引きだすことができなかった。
【課題を解決するための手段】
【０００６】印鑑の形状をほぼ指の形にした指サックとし、指サックの指先下部に刻印面を作る。指先上面には、刻印部の形状と中心軸を示す補助線を描き、内面には刻印部位置を触感できる印をつけ、押印位置を判定しやすくする。押印は、指を挿入して行う。すなわち、つぎのような印鑑とする。
（１）  形状が指の外形をかたどったサック状の印鑑
（２）  指サック表面に、押印位置補正用のしるしをつけた印鑑
（３）  指サック内面に刻印部位置を感触できるしるしをつけた印鑑
（４）  指サックを装飾することで装身具に利用できる印鑑
【考案の効果】
【０００７】本考案により、押印する場所と刻印面を近接させて見ることができ、かつ、指先の繊細な感覚によってすばやく高い精度の位置設定ができる。また、上面のしるしによって位置補正ができる。押印のとき、力を一番こめる場所が捺印面に近いこと、サック全体を利用して力をこめられること、指先の感覚で押印感覚を確かめることができることによりかすれのない押印ができる。さらに、材質を貴金属にして彫金などを施すなどの装飾を加えれば、装身具となる。
【考案を実施するための最良の形態】
【０００８】このものの構成と使い方を説明する。実用のみを重視する場合には、指サック全体を柔らかいゴムのような材質で作り、それに刻印面を貼り付ける。実用と同時に装身具としての美しさも追求する場合は、サックの材質に高価なものを用いて装飾する。
【実施例】
【産業上の利用可能性】
【図面の簡単な説明】
【０００９】図面１は、指サック形状の印鑑を示した立体透視図である。
【符号の説明】
【００１０】  （ア）  刻印部を示す印の例
（イ）  刻印部の中心軸を示す印の例
（ウ）  刻印部
【図１】
0003134367.tif 000003
【手続補正書】
【提出日】平成19年5月23日(2007.5.23)
【手続補正１】
【補正対象書類名】実用新案登録請求の範囲
【補正対象項目名】全文
【補正方法】変更
【補正の内容】
【実用新案登録請求の範囲】
【請求項１】
形状が指の外形をかたどったサック状の印鑑
【請求項２】
指サック表面に、押印位置補正用のしるしをつけた請求項１に記載の印鑑
【請求項３】
指サック内面に刻印部位置を感触できるしるしをつけた請求項１に記載の印鑑
【請求項４】
指サックを装飾することで装身具に利用できる請求項１に記載の印鑑
【手続補正２】
【補正対象書類名】明細書
【補正対象項目名】０００９
【補正方法】変更
【補正の内容】
【０００９】
【図１】指サック形状の印鑑を示した立体透視図である。
(57)【要約】      （修正有）【課題】製品ごとに本来の設置固定方向が一定方向に限定されており、仮に方向転換を行い設置固定する場合は本来の設置固定方向に対し、１８０度転換した方向のみに限定され、本来の設置固定方向に対しそれ以外の角度での方向転換は不可能である構造を提供する。【解決手段】モール・ウェビング方式構造、もしくはモール・ウェビング構造に対応可能な構造を表面に配置し、その裏面に表面の構造に対し垂直方向へ変換した同モール・ウェビング方式構造を持つ、またはモール・ウェビング構造に対応可能な構造を有する、前面後面の２面一体構造を有したもの。【選択図】図１
0003134364.tif 000002
【実用新案登録請求の範囲】
【請求項１】
（１）軍事関連技術より派生した方式構造でモール・ウェビングという方式構造が存在する。主に布製品において、モール・ウェビング構造を持った製品同士を設置固定する為の方式構造である。モール・ウェビング構造、もしくはモール・ウェビング構造に対応可能な方式構造を表面に配置したモール・ウェビング縦横方向変換装置。
【請求項２】
（２）請求項１において示した構造物の裏面に、表面のモール・ウェビング構造に対し垂直方向へ変換したモール・ウェビング構造を持つ、またはモール・ウェビング構造に対応可能な構造を有する、前面後面の２面一体構造を有したモール・ウェビング構造用縦横方向変換装置。
【考案の詳細な説明】
【技術分野】
【０００１】本考案はモール・ウェビングという方式構造を持つ、またはモール・ウェビング構造に対応可能な構造を持った製品の設置固定方向を本来の方向に対し、設置固定方向を垂直方向へ変換するための道具に関する。
【技術背景】
【０００２】軍事関連技術より派生した方式構造で、主に布製品において、その方式構造を持った製品同士を設置固定する為のものである。呼称はモール・ウェビング、パルスウェビング、ラック等様々なものが存在する。ここでは、代表として今現在、最も広く使われているモール・ウェビングと言う呼称を使用する。モール・ウェビング方式構造は、ある一定の広さの布製品の表面において幅約２．５ｃｍの布テープを全長は任意として、約４ｃｍの間隔で縫製等の方法で布製品の表面に固定し区切り、それに平行になるように約２．５ｃｍの間隔を取り同一の布製品の表面に同様の加工を施した布テープを複数配置した構造を持つもの。
【考案の開示】
【考案が解決しようとする課題】
【０００３】モール・ウェビング構造を持つ、またはモール・ウェビング構造に対応可能な構造を持った製品は、製品ごとに本来の設置固定方向が一定方向に限定されており、仮に方向転換を行い設置固定する場合は本来の設置固定方向に対し、１８０度転換した方向のみに限定され、本来の設置固定方向に対しそれ以外の角度での方向転換は不可能である。
【課題を解決するための手段】
【０００４】モール・ウェビング構造、もしくはモール・ウェビング構造に対応可能な構造を表面に配置し、その裏面に表面のモール・ウェビング構造に対し垂直方向へ変換したモール・ウェビング構造を持つ、またはモール・ウェビング構造に対応可能な構造を有する、前面後面の２面一体構造を有したもの。その構造により上記の課題を解決する手段とする。
【考案の効果】
【０００５】モール・ウェビング構造を持つ、またはモール・ウェビング構造に対応可能な構造を持った製品は、従来は製品ごとに本来の設置固定方向が一定方向に限定されており、仮に方向転換を行い設置固定する場合は本来の設置固定方向に対し、１８０度転換した方向のみに限定され、本来の設置固定方向に対しそれ以外の角度での方向転換が不可能であった。
【考案を実施するための最良の形態】
【０００６】モール・ウェビング構造、もしくはモール・ウェビング構造に対応可能な構造を表面に配置し、その裏面に表面の構造に対し垂直方向へ変換したモール・ウェビング構造を持つ、またはモール・ウェビング構造に対応可能な構造を有する、前面後面の２面一体構造を有したもの。
【図面の簡単な説明】
【０００７】
【図１】  表正面図
【図２】  裏正面図
【図１】
0003134364.tif 000003
【図２】
0003134364.tif 000004
【手続補正書】
【提出日】平成19年5月4日(2007.5.4)
【手続補正１】
【補正対象書類名】実用新案登録請求の範囲
【補正対象項目名】全文
【補正方法】変更
【補正の内容】
【実用新案登録請求の範囲】
【請求項１】
ウェビング構造を前面に配置し、後面に前面のウェビング構造の方向に対して垂直方向へ方向変換した、つまり直行したウェビング構造を一つの物体に同時に設けた、前面後面の２面一体構造を有したウェビング縦横方向変換装置。
(57)【要約】      （修正有）【課題】モール・ウェビング構造に対応していない様々な規格の腰ベルトへの設置固定は、構造上の差異により、通常使用に支障をきたす程度の固定度合いしか得られない、または設置固定を意図した位置から移動してしまう等の不具合が生じる。【解決手段】モール・ウェビング式構造、もしくはモール・ウェビング構造に対応可能な方式構造を表面に配置した物体の裏面にモール・ウェビング構造以外の構造を持つ、または対応していない様々な規格の腰ベルトに取り付け固定する為の方式構造または、それに準ずる腰ベルトを通す、または挟み込む等の固定方法を同一の物体に同時に設ける、または同居させる構造を持った、もしくは持たせた、表面裏面一体の２面構造を有したもの。【選択図】図１
0003134365.tif 000002
【実用新案登録請求の範囲】
【請求項１】
（１）軍事関連技術より派生した方式構造でモール・ウェビングという方式構造が存在する。主に布製品において、モール・ウェビング構造を持った製品同士を設置固定する為の方式構造である。モール・ウェビング構造、もしくはモール・ウェビング構造に対応可能な方式構造を表面に配置した腰ベルト用モール・ウェビング変換固定装置。
【請求項２】
（２）請求項１において示した構造物の裏面に同方式構造以外の構造を持つ様々な規格の腰ベルトに取り付け固定する為の方式構造または、それに準ずる腰ベルトを通す、または挟み込む等の固定方法を同一の物体に同時に設ける、または同居させる構造を持った、もしくは持たせた、前面後面の２面構造を有したベルト用モール・ウェビング変換固定装置。
【考案の詳細な説明】
【技術分野】
【０００１】本考案はモール・ウェビング構造を持つ、またはモール・ウェビング構造に対応可能な構造を持った製品をモール・ウェビング構造以外の構造を持つ、または対応していない様々な規格の腰ベルトへの設置固定を可能にするための道具に関する。
【技術背景】
【０００２】軍事関連技術より派生した方式構造で、主に布製品において、その方式構造を持った製品同士を設置固定する為のものである。呼称はモール・ウェビング、パルスウェビング、ラック等様々なものが存在する。ここでは、代表として今現在、最も広く使われているモール・ウェビングと言う呼称を使用する。モール・ウェビング方式構造は、ある一定の広さの布製品の表面において幅約２．５ｃｍの布テープを全長は任意として、約４ｃｍの間隔で縫製等の方法で布製品の表面に固定し区切り、それに平行になるように約２．５ｃｍの間隔を取り同一の布製品の表面に同様の加工を施した布テープを複数配置した構造を持つもの。
【考案の開示】
【考案が解決しようとする課題】
【０００３】モール・ウェビング構造を持つ、またはモール・ウェビング構造に対応可能な構造を持った製品をモール・ウェビング構造以外の構造を持つ、または対応していない様々な規格の腰ベルトへの設置固定は、構造上の差異により、通常使用に支障をきたす程度の固定度合いしか得られない、または設置固定を意図した位置から移動してしまう等の不具合が生じる。
【課題を解決するための手段】
【０００４】モール・ウェビング式構造、もしくはモール・ウェビング構造に対応可能な方式構造を表面に配置した物体の裏面にモール・ウェビング構造以外の構造を持つ、または対応していない様々な規格の腰ベルトに取り付け固定する為の方式構造または、それに準ずる腰ベルトを通す、または挟み込む等の固定方法を同一の物体に同時に設ける、または同居させる構造を持った、もしくは持たせた、表面裏面一体の２面構造を有したもの。この構造により上記の課題を解決する手段とする。
【考案の効果】
【０００５】モール・ウェビング構造を持つ、もしくはモール・ウェビング構造に対応可能な方式構造を表面に配置した従来のものには、その裏面にモール・ウェビング構造以外の構造を持つ、または対応していない様々な規格の腰ベルトに取り付け固定する為の方式構造または、それに準ずる腰ベルトを通す、または挟み込む等の固定方法を同一の物体に同時に設ける、または同居させる構造を持った、もしくは持たせた、表面裏面一体の２面構造を持っていない。そのため、通常使用に耐える程度の設置固定が不可能であった。
【考案を実施するための最良の形態】
【０００６】モール・ウェビング構造、もしくはモール・ウェビング構造に対応可能な方式構造を表面に配置した物体の裏面にモール・ウェビング構造以外の構造を持つ、または対応していない様々な規格の腰ベルトに取り付け固定する為の方式構造または、それに準ずる腰ベルトを通す、または挟み込む等の固定方法を同一の物体に同時に設ける、または同居させる構造を持った、もしくは持たせた、表面裏面一体の２面構造を有したもの。
【図面の簡単な説明】
【０００７】
【図１】  裏面全体図
【図２】  表面全体図
【図１】
0003134365.tif 000003
【図２】
0003134365.tif 000004
【手続補正書】
【提出日】平成19年5月4日(2007.5.4)
【手続補正１】
【補正対象書類名】実用新案登録請求の範囲
【補正対象項目名】全文
【補正方法】変更
【補正の内容】
【実用新案登録請求の範囲】
【請求項１】
ウェビング構造を前面に配置し、後面に様々な規格の腰ベルトへ固定する為に腰ベルトを通す、もしくは挟み込む等の腰ベルト固定装置を一つの物体に同時に設けた、前面後面の２面一体構造を有した腰ベルト用ウェビング変換固定装置。